(57)【要約】【課題】この考案は、飲料容器において、飲料の保冷、保温を保ちながら、飲料を漏れをロック機構を採用することによって、確実に水漏れをできる水漏れ密封容器を提供する。【解決手段】上方部に螺着部を有する上方開口の容器本体と、容器内部に通じる流体流出口と、両側より内側方向に突出させてなる半円状突出部に水平状の止め溝を設けてなり、前記容器本体の螺着部と螺着可能な固定蓋と、前記固定蓋の略中央部で軸支され、前後に回動自在に形成すると共に、その前端部鉤状の掛止部を形成し、下面の前方部に前記流体流出口に嵌合可能な弾性突出片を設けると共に、前記軸支部のやや前方部に一対の係止片を有する摘み部を回動可能に設けてなる開閉蓋とからなり、開閉蓋に形成された摘み部の一対の両端肉薄部を回動させて、該両端肉薄部を固定蓋に形成された半円状突出部に水平状の止め溝に係合されるようにした。【選択図】図５
0003120977.tif 000002
【実用新案登録請求の範囲】
【請求項１】
上方部に螺着部を有する上方開口の容器本体と、
容器内部に通じる流体流出口と、両側より内側方向に突出させてなる半円状突出部に水平状の止め溝を設けてなり、前記容器本体の螺着部と螺着可能な固定蓋と、
前記固定蓋の略中央部で軸支され、前後に回動自在に形成すると共に、その前端部鉤状の掛止部を形成し、下面の前方部に前記流体流出口に嵌合可能な弾性突出片を設けると共に、前記軸支部のやや前方部に一対の係止片を有する摘み部を回動可能に設けてなる開閉蓋と
からなり、開閉蓋に形成された摘み部の一対の両端肉薄部を回動させて、該両端肉薄部を固定蓋に形成された半円状突出部に水平状の止め溝に係合されるようにしたことを特徴とする水漏れ密封容器。
【請求項２】
開閉蓋の下面には弾性薄層を貼着してある請求項１記載の水漏れ密封容器。
【請求項３】
固定蓋の上方部には外周枠を突出させ、該外周枠の前方外側部に前方係合片を形成し、該前方係合片は開閉蓋の前端部鉤状の掛止部の内側に形成した前方係合突起と係合するようにした請求項１又は請求項２記載の水漏れ密封容器。
【請求項４】
固定蓋の後方上端には後方突起を形成し、該後方突起は開閉蓋の鉤手状の掛止部の外周部に設けた後方係止片と係合するようにした請求項１、請求項２又は請求項３記載の水漏れ密封容器。
【請求項５】
容器本体は、若干の間隙を有する外容器と内容器とからなり請求項１、請求項２、請求項３、請求項４又は請求項５記載の水漏れ密封容器。
【考案の詳細な説明】
【考案の詳細な説明】
【技術分野】
【０００１】この考案は、飲料容器において、飲料の保冷、保温を保ちながら、飲料を漏れをロック機構を採用することによって、確実に防止することの出来る水漏れ密封容器に関する。
【技術の背景】
【０００２】飲料容器には各種のものが提供されているが、ベットボトル製の飲料容器は安価であるが、内部の飲料の保冷、保温が充分ではない。又、内部の飲料水を途中まで飲んだ場合、その残量の漏れを完全に防止することのできる飲料容器は存在しない。
飲料容器から内部の飲料水を飲むのに、飲料容器のストロー口よりストローを差し込んでストローによって吸い出すものでは、ストロー口が小さいためその水漏れを防止することは比較的容易である。（例えば、特許文献１、特許文献２、特許文献３参照）
【０００３】飲料容器の抽出口より直接内部の飲料水を飲むタイプのものでは、液体の流出口が広いために、容器内部の飲料水の漏れを防ぐのが難しい。（例えば、特許文献４参照）
従来、提供されている各種の水漏れ防止用の容器は、一時的に水漏れを防ぐ目的のものであって、長時間の振動を容器に与えれても確実に水漏れを防止できるものではなかった。
【０００４】更に、飲料容器として保冷保温を目的にする容器では、容器を二重構造にしすることが行われている。（例えば、特許文献５、特許文献６参照）
【０００５】
【特許文献１】  特開２００１−１２０４１４号
【特許文献２】  特開２００２−３７３０４号
【特許文献３】  実用新案登録第３０６４４３２号
【特許文献４】  実開昭６２−６５９４９号
【特許文献５】  特開２００５−１０４５７８号
【特許文献６】  特開２００２−８５８５９号
【考案の開示】
【考案が解決しようとする課題】
【０００６】この考案は、保冷、保温の飲料水をそのままの状態で、内部の飲料水がどのような状態においても内部の液体が漏れないようにすると共に、容器内部の飲料の保冷、保温を図るようにすることよって、飲料を途中まで飲んだ状態で容器をバッグ内に収納した場合にでも、容器内部の飲料の漏れを完全に防止し、且つその効果を確実にするために密閉状態でロックできるようにし、しかも保冷、保温がをはかることにより長時間飲料として美味しさが保たれる。
【課題を解決するための手段】
【０００７】上方部に螺着部を有する上方開口の容器本体と、容器内部に通じる流体流出口と、両側より内側方向に突出させてなる半円状突出部に水平状の止め溝を設けてなり、前記容器本体の螺着部と螺着可能な固定蓋と、前記固定蓋の略中央部で軸支され、前後に回動自在に形成すると共に、その前端部鉤状の掛止部を形成し、下面の前方部に前記流体流出口に嵌合可能な弾性突出片を設けると共に、前記軸支部のやや前方部に一対の係止片を有する摘み部を回動可能に設けてなる開閉蓋とからなり、開閉蓋に形成された摘み部の一対の係止片を回動させて、固定蓋に形成された半円状突出部に水平状の止め溝に押圧的に係合されるようにしたものである。【０００８】更に、固定蓋の上方部には外周枠を突出させ、該外周枠の前方外側部に小突起片を形成し、該小突起片は開閉蓋の前端部鉤状の掛止部の内側に形成した小突起片と係合するようにした。【０００９】しかも、固定蓋の後方上端には後方小突起片を形成し、該後方小突起片は開閉蓋の前端部鉤状の掛止部の外周部に設けた係止片と係合するようにした。【００１０】そして、更に、容器本体は、若干の間隙を有する外容器と内容器とか構成するようにしたものである。
【考案の効果】
【００１１】この考案は、内部に入れられた飲料を残して飲んだ場合にでも、開閉蓋の摘み部を回動することによって液体流出口を密閉ロックすることによって、容器内部の飲料を完全密封し得る。更に、容器内部の飲料の保冷、保温の出できるようにすることよって、飲料を途中まで飲んだ状態で容器をバッグ内に収納した場合にでも、容器内部の飲料の洩れがなくし、しかも保冷、保温が効果的であるため、長時間飲料として美味しさが保たれる。
【考案を実施するための最良の形態】
【００１２】上方部に螺着部を有する上方開口の容器本体と、容器内部に通じる流体流出口と、両側より内側方向に突出させてなる半円状突出部に水平状の止め溝を設けてなり、前記容器本体の螺着部と螺着可能な固定蓋と、前記固定蓋の略中央部で軸支され、前後に回動自在に形成すると共に、その前端部鉤状の掛止部を形成し、下面の前方部に前記流体流出口に嵌合可能な弾性突出片を設けると共に、前記軸支部のやや前方部に一対の係止片を有する摘み部を回動可能に設けてなる開閉蓋とからなり、開閉蓋に形成された摘み部の一対の係止片を回動させて、固定蓋に形成された半円状突出部に水平状の止め溝に係合されるようにしたものである。
【実施例】
【００１３】上方部に螺着部６を有する上方開口１の容器本体２は、外容器３と内容器４とからなり、外容器３と内容器４との間に若干の間隙、即ち空気層５を有するようにしてある。
容器本体２は全体として下向にやや先細テーパーを付してある。【００１４】固定蓋７の下部外周に形成された螺着部８は、前記容器本体２の上方部に螺着部６に螺着されることによって容器本体２と固定蓋７とは一体化する。
固定蓋７は、中央部直径方向に凹嵌部９が形成され、更に、この凹嵌部９の前方に容器内部に通じるように液体流出口１０が形成されている。【００１５】固定蓋７の凹嵌部９の前方には一対の半円形状の厚肉部１１、１１が内側方向に突設されている。一対の厚肉部１１、１１には水平状の止め溝１２、１２が形成されている。【００１６】固定蓋７の外周は後端部１４を除いて外周枠１３を上方に突出させると共に、外周枠１３の前方には前方係合突起１５を形成してあり、固定蓋７の後端部には後方係合突起１６を形成してある。【００１７】開閉蓋１７は、その下部に両側外方に一体的に突出させてなる支軸１８、１８は、中央部直径方向に凹嵌部９のほぼ中央部に形成された軸孔１９、１９において軸支されることによって図６矢印に示すように前後に回動する。【００１８】前記のように固定蓋７の凹嵌部９のほぼ中央部に軸支された開閉蓋１７は、支軸１８、１８を中心として前後に回動するようにされているが、開閉蓋１７の端部上方には鉤手２８状に突出するように掛止部２０を設けると共に開閉蓋１２の下面にはシリコンゴムのような弾性体の栓体２１及びシリコンゴムのような弾性体からなる弾性薄層２２が接着固定してある。栓体２１は、液体流出口１０を密栓するものであるから、栓体２１の形状は、液体流出口１０に適合して嵌合する形状で突出させてあるものである。【００１９】開閉蓋１７の前記鉤部の前方内面には開閉蓋１７の外周枠１３の前方に設けた前方係合突起１５と係合する前方係合片２３突出させてあると共に、鉤部の後方外面には前記固定蓋７の後端部には係合小突起１６と係合する後方係合部２４を設けてある。即ち、開閉蓋１７を前倒すると掛止部１６は固定蓋７の外周枠１３に掛け止めされると共に、鉤部の前方内面に形成された前方係合突起２３は開閉蓋１７の前方係合片１５と係合する。開閉蓋１７を後倒すると鉤部の後方外面に設けられた後方係合部２４は前記固定蓋７の後端部に突出して設けられた後方係合突起１６と係合する。【００２０】鉤部の前方内面に形成された前方係合突起２３を開閉蓋１７の前方係合片１５と係合させた状態、即ち、水漏れ密封容器の内部に飲料水が入った状態で、開閉蓋１２の上面中央部には両端部がそれぞれ撥状に形成された摘み部１８は軸２７にて支持され回動自在に設けてあり、該摘み部２５延出させてなる撥状の先端肉薄部２６、２６に形成してあり、摘み部２５の両端部の肉薄部２６、２６を固定蓋７の水平状の止め溝１２、１２の方向に摘み部２５を押圧気味に図３矢印方向に回動させることによって、図４に示したように、摘み部２５と一体に形成された肉薄部２６、２６は水平状の止め溝１２、１２内部に圧入されることにより開閉蓋１７が固定蓋７の全体を薄層２２の弾性も加わり弾力的に押圧し栓体２５が液体流出口１０を完全に密栓状にロックされる。即ち、密栓状態で飲料水の入った飲料容器の液体流出口１０に弾性体の栓体２１が嵌入したままでその周辺の全体が弾性体からなる薄層２２に押圧されることにより飲料容器の液体は完全に密閉状にロックされ、水漏れ密封容器がどのような状態になっても密封状態は保持されることになる。【００２１】水漏れ密封容器に入った飲料水を飲みたいときには、止め溝１２、１２と肉薄部２６、２６とのロックを解除して、開閉蓋１７を後倒すると鉤部の後方外面に設けられた係合部２４と、固定蓋７の後端部に突出して設けられた後方係合突起１６と係合するさせることによって開閉蓋１７はその係合状態を保つので、飲料水を飲む邪魔にはならない。
【産業上の利用の可能性】
【００２２】この考案の水漏れ密封容器によると、飲料容器自体が内外の二重構造の容器で構成されているため、内部の飲料水は保冷、保温が良好に維持されるから、内部の飲料水は美味しいまま長時間保存されることになる。容器内部の気密性が完全に維持さているので、バッグ内、ポケットに入れておいた場合にも衣類を汚すことがない。
しかも、容器自体を保存しておけば、各自で好みの飲料を入れて再使用することはできるので資源の有効利用を図ることができるものである。
【図面の簡単な説明】
【００２３】
【図１】非密栓状態にあるときの水漏れ密封容器の平面図
【図２】密栓状態にあるときの水漏れ密封容器の平面図
【図３】非密栓状態にあるときの水漏れ密封容器の斜視図
【図４】密栓状態にあるときの水漏れ密封容器の斜視図
【図５】非密栓状態にあるときの水漏れ密封容器の縦断面図
【図６】開閉蓋を立ち上げた状態の水漏れ密封容器の部分縦断面図
【図７】密栓状態にあるときの水漏れ密封容器の部分縦断面図
【図８】非密栓状態にあるときの水漏れ密封容器の斜視図
【符号の説明】
１．．．上方開口
２．．．容器本体
３．．．外容器
４．．．内容器
５．．．空気層
６．．．螺着部
７．．．固定蓋
８．．．螺着部
９．．．凹嵌部
１０．．液体流出口
１１．．半円形状の厚肉部
１２．．止め溝
１３．．外周枠
１４．．後端部
１５．．前方係合突起
１６．．後方係合突起
１７．．開閉蓋
１８．．支軸
１９．．軸孔
２０．．掛止部
２１．．栓体
２２．．弾性薄層
２３．．前方係合片
２４．．後方係合部
２５．．摘み部
２６．．肉薄部
２７．．軸
２８．．鉤手
【図１】
0003120977.tif 000003
【図２】
0003120977.tif 000004
【図３】
0003120977.tif 000005
【図４】
0003120977.tif 000006
【図５】
0003120977.tif 000007
【図６】
0003120977.tif 000008
【図７】
0003120977.tif 000009
【図８】
0003120977.tif 000010
【手続補正書】
【提出日】平成18年1月16日(2006.1.16)
【手続補正１】
【補正対象書類名】実用新案登録請求の範囲
【補正対象項目名】請求項５
【補正方法】変更
【補正の内容】
【請求項５】
容器本体は、若干の間隙を有する外容器と内容器とからなり請求項１、請求項２、請求項３、又は請求項４記載の水漏れ密封容器。